(57)【要約】  販売箇所において、ブリスターパッケージされた電池パックの展示器具（５）としても使用できる電池再充電装置（６）は、販売中の電池パック（５）の接続及びリンク用の一連の台座又は収容構造（２、１８）を含むサポート(１、１７、５１）を含む。ブリスターパッケージング（５）に含まれる各電池（６）の電極（２１）に電気的に接続された一対の端子（７、８、８０）は、装置内に組み込まれた電池電荷の充電及び／又は維持回路との電気的接続を得るために、外部から接触可能である。
2007528188.tif 000002
【特許請求の範囲】
【請求項１】
販売箇所において、電池パック又はパッケージング（５）の展示器具として使用することもできる電池（６）の再充電装置であり、販売中の電池パック（５）の挿入及び／又はリンク用の台座又は収容構造（２、１８）を含む少なくとも一つの支持要素（１、１７、５１）、及び充電装置の前記台座又は収容構造（２、１８）に電気的に接続され、電荷の充電、再充電及び／又は維持のための手段（２０、３０）を含む再充電装置（６）。
【請求項２】
充電レベルがチェックされるべき前記電池パック（５）の一つを一時的に搭載するために使用できる少なくとも一つの好適な収容構造（４）を含む請求項1記載の電池再充電装置（６）。
【請求項３】
電池（６）の各パッケージング(５）が、互いに直列に接続された一連の電池（６）を含み、前記パッケージングの少なくとも2つの端子（７、８、８０）が、電荷の再充電及び／又は維持のための手段（２０、３０）に接続するためにパッケージングの（５）の外から接触可能である請求項１記載の電池再充填装置（６）。
【請求項４】
前記電荷の再充電及び維持のための手段は、制御ロジック（５０）によって、自動的に少なくとも一つの電池パック（５）の収容構造を認識し、少なくとも一つの前記台座（２、１８）内の電池パック（５）の前記収容構造の充電サイクルを直ちに活動する請求項１記載の電池再充電装置（６）。
【請求項５】
前記収容構造又は台座（２、１８）が、前記収容構造又は台座（２、１８）の各々が、挿入された電池パック（５）の充電レベル及び/又は最大充電レベルの到達を示すのに好適な信号手段を含む請求項１記載の電池再充電装置（６）。
【請求項６】
充電されるべき電池（６）の形態に対応する必要な充電レベルを自動的に選択可能とするために、前記２つの端子（７、８、８０）が、異なる距離（Ｄ１、Ｄ２、D３）で位置している請求項3記載の電池再充電装置（６）。
【請求項７】
前記少なくとも一つの支持要素（１、１７、５１）が、各台座又は収容構造（２、１８）に従った、少なくとも一つの弾性形態の第１の導体要素（２８）によって、押される少なくとも一つの金属体を含み、この金属体が、電池パック（５）の少なくもと２つの端子（７、８、８０）との電気接触を保証し、少なくとも一つの第２の導体要素（２９）が、前記電荷の再充電及び／又は維持のための手段との電気接触を作り出す請求項３記載の電池再充電装置（６）。
【請求項８】
前記端子（７、８、８０）の少なくとも一つが、少なくとも一つのバネ釘（３８）と接触しており、このバネ釘は、前記電荷の再充電及び／又は維持のための手段と電気的に接触している請求項３記載の電池再充電装置（６）。
【請求項９】
前記電池パッケージング又はパック（５）が、前記少なくとも一つの支持要素（１、１７、５１）のノッチ断面形状（４２）によって位置が保持されており、前記ノッチは、パッケージング５に位置する切欠きと係合している請求項８記載の電池再充電装置（６）。
【請求項１０】
前記電池パッケージング又はパック（５）は、前記台座及び/又はハンジンク（２、１８）内への挿入のための少なくとも一つのガイド翼部（４６）を有しており、少なくとも一つのインダクタ要素（４４）及び／又は少なくとも一つの整流ダイオード（４５）も備えており、前記少なくとも一つの支持要素（１、１７、１５）は、磁極伸張部を有する少なくとも一つの磁気回路（４７）を含み、磁極伸張部には、少なくとも一つのコイル（４８）が捲かれ、パッケージング（５）が対応する台座及び／又は収容構造（２、１８）に挿入される際に、磁気回路（４７）の前記磁極伸張部の間に挿入される前記インダクタ要素（４４）は、前記コイル（４８）との誘導磁気結合を形成し、交流発生器（４９）によって供給され且つ前記ダイオード（４５）によって整流された電気エネルギーをパッケージング（５）に転送するようにする請求項3記載の電池再充電装置（６）。
【請求項１１】
少なくとも一つの支持要素（１、１７、５１）が、再充電装置の外部ケース（３５）上に位置する手段（１０、１１、１２、３２、３３、３４）によって、選択がユーザーによって有効される時の、前記電池パック（５）の少なくもと一つの自動的選択及び供給手段を含む請求項１記載の電池再充電装置（６）。
【請求項１２】
前記少なくとも一つの支持要素（１、１７、５１）が一連の列（１３、１４、１６、２０、２６、３７）を含み、これら列内に、電池パッケージング又はパック（５）が配列され、前記電池パッケージング又はパックは、適当な台座（１８）に導入され、棚（１５）によって、水平位置に保持される請求項１１記載の電池再充電装置（６）。
【請求項１３】
前記制御ロジック（５０）は、選択されたタイプの最も高く充電された電池（６）を含む少なくとも一つの電池パック（５）を選択する請求項１１記載の電池再充電装置（６）。
【請求項１４】
前記自動選択及び供給手段は、少なくとも第１の弾性要素（９２）によって静止位置に保持される放出器の少なくとも一つのピン（９１）及び少なくとも一つのコイルを含み、前記コイルは、電流の通過の後に、前記第１の弾性要素（９２）を圧縮する前記ピン（９１）の引っ張り力を発生し、パッケージング（５）を放出し、前記パッケージング（５）を収集面（３６）上に落とす請求項１１記載の電池再充電装置（６）。
【請求項１５】
前記少なくとも一つの支持要素（１、１７、５１）が、少なくとも一つの弾性要素（９６）によって、少なくとも一つの第３の弾性部材（９５）と関係する物体（９４）と電気的に接続されており、電池（６）が内含される電池パック（５）の少なくとも一つの端子（８０）と接触するのに好適な請求項１４記載の電池充電装置（６）。
【請求項１６】
前記電池パッケージング又はパック（５）は、２つの対称的なシェル（２３、２４）からなり、これらシェルは、電池（６）を機械的に抑え、関係する端子を開放しており、各電池（６）が独立して充電できるようにする請求項１記載の電池充電装置（６）。
【請求項１７】
前記電池パッケージング又はパック（５）が、各列（１３、１４、２０、１６、２６、３７）に対応して、互いの頂部に積み重ねられている請求項１１記載の電池充電装置（６）。
【請求項１８】
前記自動選択及び供給手段が、少なくとも一つのモータ（２８）を含み、このモータの回転が、抑え弾性要素（２９、４３）から各電池パッケージング又はパック（５）を外させる少なくとも一つの押圧素子（２７）の移動を作り出す請求項１１記載の電池充電装置（６）。
【請求項１９】
前記自動選択及び放出手段が少なくとも一つのベルト（２６B）によって移動される少なくとも一つ押圧要素（２７B）を含み、前記ベルトは、少なくとも一つのモータ（２８Ｂ）によって、活動される請求項１１記載の電池充電装置（６）。
【発明の詳細な説明】
【技術分野】
【０００１】
本発明は、電池再充電装置に関係する。
より詳細には、本発明は、ブリスターパッケージされた電池パック（ブリスターパッケージング）の展示器具としても使用できる充電可能な電池用の充電装置に関する。
【背景技術】
【０００２】
再充電可能な電池は、比較的短い期間エネルギーを貯蔵することができるという欠点を有していることが知られている。
Ｎｉ−Ｃｄ又はＮｉ−ＭＨ電池の典型的な自己放電時間は、実際は数カ月であり、まれではあるが高温貯蔵状態下では、１２カ月に及ぶ。
販売箇所の一部に電池を用意するのに必要な時間は、現在の物品流通システムでは、ますます限られたものになってきていると言う事実を考えると、最終顧客は、ほとんど常に空の電池を購入することを余儀なくされ、従って、それらを使用する前に再充電する必要がある。
【発明の開示】
【発明が解決しようとする課題】
【０００３】
上述された要請に関連し、且つ特定された制限を解消するために、本発明の目的は、使用者が完全に充電された電池を購入し、購入場所の販売箇所で直接電池の充電の度合いをチェックし且つ可能ならば再充電することが可能で、従って、充電された電池を定常的に顧客に入手可能とする、再充電可能な電池充電装置を提供することにある。
本発明は、携帯電話、ラジオ、ポータブルハイファイ装置、デジタルカメラ、及び販売箇所において現在購入することができ且つ直接使用することができる全ての消費者電子装置の購入の場合に特に有用である。
【０００４】
本発明の更なる目的は、販売箇所において、ブリスターパッケージされた電池パケットの展示器具として直接利用することができる電池再充電装置を提供することにある。
本発明の別の目的は、販売箇所において直接的に、電池の充電及び再充電維持操作の容易な取り扱いを可能にする電池再充電装置を提供することにある。
本発明の更に別の目的は、ブリスターパッケージングを開ける必要無しに、パッケージされた電池への電気的な接触を可能にし、始めから全てのエネルギーを利用可能な状態で、「フレッシュ」な製品を顧客に販売することを可能にする安価な電池再充電装置を提供することにある。
【０００５】
本発明の更なる目的は、充電された電池の供給を可能にし、公共的に開かれた場所で使用され、顧客が、ブリスターパッケージングの一つ又はそれ以上を選択して、取り出すことを可能にする電池再充電装置を提供することにある。
本発明の別の目的は、複雑な又はことさらコストの係る技術を使用すること無しに、製造するのが容易であり且つ経済的な電池再充電装置を提示することにある。
【課題を解決するための手段】
【０００６】
これら及び他の目的は、請求項１に従う電池再充電装置を提供することによって達成される。請求項１は、簡潔であるので参照されるべきである。
本願の第１の実施の形態において、再充電装置は、販売中の電池パックを接続及びリンクするための一連の台座又は収容構造を含むサポート、２３０ボルトの電源に接続するための給電線、適切な再充電回路備えるベース及び充電レベルがチェックされるべき電池のブリスターパッケージングを一時的に搭載するための特定の収容構造からなることが有利である。
【０００７】
再充電装置の別の実施の形態は、実質的に、
−  再充電可能な電池のブリスターパッケージングの充電器、
−  充電された電池のブリスターパッケージングの選択器及び自動供給装置、
−  自動支払いシステムからなる。
この場合、ブリスターパッケージングは、再充電回路及び再充電装置の外部に位置する一連のプッシュボタンを使用して、使用者によって選択されたブリスターパッケージングの自動選択及び供給手段を含む集合装置内に含まれる。
【０００８】
本発明は、装置に自動支払い機構も装着されていると、使用者が、完全に自律的であることを可能にする。
集合装置には、空の電池のブリスターパッケージングを、店員が充填することができ、集合装置は、パッケージされた電池を自動的に充電し、且つ充電が抑制され且つ有効になった後のみに、それらを供給することができる。
本発明に従う電池再充電装置の更なる特徴及び利点が、以下の記述及び添付図面からより明瞭になるであろう。
【発明を実施するための最良の形態】
【０００９】
好適な且つ説明のための第１の実施の形態を表す図１及び２を特に参照する。種々の販売箇所で展示要素としても使用することができる電池再充電装置は、充電され、充電され続け、そして売られる必要がある、好適には、ブリスターパッケージされた、電池パケット５（図２）の接続及び／又はリンクのための、一般的且つ全体的に２（図１）で示された、一連の台座又は収容構造を含み且つ搭載ベース９が取り付けられた正面支持体１を実質的に含む。
【００１０】
再充電装置は、２３０Vの電源と接続するための給電線も含む。搭載ベース９は、一連の好適な充電回路を含み、充電レベルがチェックされるべき電池５のパッケージング又はパックの一時的な搭載に使用できる適当な収容構造４も存在することができる。
電池パック又はブリスターパッケージング５は、好適には、例えば、２０００ｍＡｈの「サイズＡＡ」タイプの4本のＮｉ−MH電池を含み且つグループ化するために製造され、且つブリスターパッケージング５に含まれる電池６の電荷が、それが売られるまで充電されて維持されるように、ベース９に含まれる特定の充電及び電荷維持回路への接続が意図されている参照番号２で示される収容構造の一つとリンクされることを可能にするように構成される。
【００１１】
他方、電池５の各パックは、そこに含まれる全ての電池６（例えば、図２に示されるように、電池の各パック毎に４本の電池）が直列に接続され、第１及び最後の電池６に対応して位置する２つの端子７、８のみが、再充電装置との接続のための接触が可能である。
端子７、８は、安全のために、各ブリスターパッケージング５内部に位置しており、したがって、金属表面上に電池パックを何気なく置くことによって、又は、電池パックをポケットにいれて、例えば、一組の鍵と接触させることによって、端子に短絡回路を生じさせることは不可能である。
この理由のために、販売箇所において展示器具としても使用することができる再充電装置は、ブリスターパッケージングを吊るし、再充電し、且つ充電レベルを維持するために、ブリスターパッケージング５の端子７、８に挿入されるために好適な対応する一対の端子を、各再充電収容構造２が有するように製造される。
【００１２】
更に、顧客が電池パック５を購入した時、ブリスターパッケージングを開けた後、上記の電池６は、互いに分離して自由に使用することができる。
実際、各収容構造２は、低電圧充電回路のセクションに接続されており、各充電回路は、電池パック５の挿入を自動的に認識することによって、充電装置の正面の側面１へのパック５の挿入の瞬間に充電サイクルを活動する。各充電セクションは、急速充電タイプであり、即ち、約１時間で電池パック５を充電する能力がある。この急速充電期間の後、このセクションは、公称充電電流の１／２０のオーダの少量の充電電流を供給することによって、電荷維持モードに自動的に移る。
【００１３】
各収容構造は、対応する電池パック５の最大充電レベルに到達した時を示すＬＥＤ信号ダイオードを有することができ、どのパック５が販売のための準備が調ったかをいつでも販売員が知ることができる。
この方法で、充電器−展示器具装置内に存在する再充電収容構造２の数に等しい或る数の利用可能な電池パック又はパッケージング５を毎時、販売員は、常に有することができる。
【００１４】
例えば、充電器−展示器具装置が、５０個のパック又はブリスターパッケージングに等しい数の電池を充電するために収容することができる場合、毎時、販売のために、平均５０個の充電された電池パッ５が利用可能であり、電池パック５が売れるとすぐに、販売員は、未充電の電池パックを充填することができる。（如何なる場合も、約１時間で準備が調う）。
代替的に、より小さな販売箇所のために考えられた、図１に示されるような、再充電装置の最も経済的なモデルを製造することが可能である。それでは、各充電セクションは、急速充電タイプではなく、１２時間で一般的に到達できる最大電荷量を有する。
この場合、再充電装置には、販売前夜に、販売定員によって電池パック５を充填することができる。販売のために毎日可能な数は、少なくとも、装置の正面の側面１で考えられた収容構造２の数に等しい。
【００１５】
既に規定された様に、充電装置及び展示器具は最終的に、電池５の各パックの充電レベルをチェックするための特別のハンジング４を含む場合がある。
このテスターに関して、３つのＬＥＤダイオード(赤、黄、及び／又は緑色)が存在して、それぞれが、低充電レベル、中間充電レベル、高充電レベルを示すことかできる。この様にして、販売員は、いつ何時にも、電池パック５の未知の状態をチェックすることができる。また、購入者自身が、販売されている電池６の各パッケージングの充電レベルをチェックすることができる。
図３−１０を特に参照する。電池６のブリスターパッケージングが、電池の最も共通して使用されているタイプに関して、いくつかの形態で示されている。
【００１６】
特に、図３及び３Aは、４本のＡＡタイプの１．５ボルト電池６を含むブリスターパッケージング5を示している。図4及び４Aは、４本のＡＡAタイプの１．５ボルト電池６を含むブリスターパッケージング5を示している。図５及び５Aは、１本の６−９ボルト電池を含むブリスターパッケージング5を示している。
何れの場合においても、各電池パッケージング又はパック５は印刷基板４０を含む。この基板は、電池6をその上に設置し、製造者の表示、電池6自体の登録番号、及び使用説明を示す。
電池６の端子は、電気的接続を形成する金属バネによって互いに接続される。ユニット全体は、プラスチック熱収縮性材料から通常成り、全ての要素をブロック化し、ユニット全体を固まりにする、透明なシース又はライニング６０内にラップされる。
【００１７】
ＡＡタイプの電池の特定の形態において（図３及び３Ａ）、上述の電池6は、バネ７０によって互いに直列に接続されており、バネの各々は、電池６の正の端子を隣接電池6の負の端子に接続する。
更なるバネ８０は、直列の端部端子（正極及び負極）に接触し、それらをブリスターパッケージング５のカード４０の一方の翼部で接触可能にする。
この翼部の上に、この翼部自体と同一平面上のバネ８０の部分に対応して、熱収縮プラスチック材料上に９０で示される２つの穴が存在する。
この様にして、適当な電気接触システムによって、穴９０を介して、充電、再充電、及び維持操作のために電池６に接触することが可能となる。
【００１８】
図４−４Ａ及び図５−５Ａに図示される場合は、それぞれ、完全に類似しているが、充電される電池の特定にタイプに関してのみ異なっている。
特に、図４−４Ａは、ＡＡＡタイプの電池６を図示しているが、図５−５Ａは、単一の9ボルト要素からなる電池６を図示している。
図６は、急速充電及び誤操作防止タイプの、本発明に従う電池の再充電装置の説明のための好適な別の実施の形態を示す。
特に、それは、ブリスターパッケージング５の展示器具のアクセサリ機能も有することができるフラットな形態の充電器１７であり（例えば、販売箇所の内側）、一連のスリット１８を有しており、このスリット内に、各ブリスターパッケージング５の各カード４０の下方翼部を挿入することができる。
【００１９】
単一又は多重バージョンにおける充電器１７は、ブラケット１９によって垂直支持構造に接続された一連の面を含み、販売箇所においてブリスターパッケージング５の展示器具としても都合よく使用され、顧客に対して充電済みの電池６を常に供給可能にする。
充電器１７の各スリット１８において、ＡＡ又はＡＡＡタイプの１．５ボルト又は９ボルトに対する、ブリスターパッケージング５の３つの形態の一つを異なって挿入することを可能にする。図６に明瞭に示されている様に、挿入時における種々のパッケージング５を図示している。
スリット１８は、各ブリスターパッケージング５の下方翼部と同じ長さを有しており、全てのブリスターパッケージング５は、特に、同じ長さを有することができる。
【００２０】
図７に明瞭に示されている様に、バネ８０から成る外部接触子８０は、長さに関して互いに相が一致して、カード４０の下方翼部に、好適に設置されるようにして（図７のＤ１、Ｄ２及びＤ３で示される距離を比較されたい）、ブリスターパッケージング５の３つの形態が製造される。
この様にして、各ブリスターパッケージング５をスリット１８に挿入すると、押し込まれた位置において、スリット１８自体の前記長さによって決定されて、充電装置１７の正しい内部端子との接触を起こし、必要な充電レベルが、充電されるべき電池6の特定のタイプに対応して自動的に選択されることを可能にする。
【００２１】
従って、現在使用される電池６の主要なタイプでの再充電及び維持のために、単一の充電装置又は充電器１７を使用することが可能である。
図８、８Ａ、８Ｂは、充電器１７のスリット１８の内部のブリスターパッケージングの電気接続システムの第１の実施の形態を詳細に示している。
特に、図８は、図６の充電装置１７の横断面図を示し、各パッケージング５が各スリット１８内に挿入されており、図８Ａは図８のCの詳細拡大図であり、図８Bは、図8Ａに関する鏡像である。
この第１の実施の形態において、電気接続システムは、バネによって押圧される金属球を使用し、充電回路の供給口とパッケージング5の接触子との間の信頼性のある電気接続を可能にすることを考えている。
【００２２】
バネ２８によって押圧された金属球２７は、ブリスターパッケージング５内に組み込まれるバネ８０と接触することを確実にし、（充電されている電池６のタイプに依存して）一連の１.５ボルト電池又は単一の９ボルトの電池から成る端電池の正又は負の端子２１との接触を保証する。
構造的単純化のために使用される別のバネ２９は、印刷回路３０との電気的接触を形成する。この印刷回路上に、充電器１７の電気部品２０が組み立てられる。
この電気接続システムは、ブリスターパッケージング５の熱可塑性ライニング６０と金属接点８０との間（より明瞭のために図８Bと対比されたい）に位置する小さいなステップによる、一度スリット１８に挿入された際のブリスターパッケージング５の極めて優れた機械的保持力の利点と、接触子８０上の球２７の削れによる、良好な自己クリーニング電気接触子を得る利点とを組み合わせている。
【００２３】
図９は、ブリスターパッケージング５と充電装置１７との間の電気接続の第２の可能な実施の形態を図示している。
この場合、ＡＡ又はＡＡＡタイプの１.５ボルト電池、及び９ボルト電池に対してより都合良く使用することができるブリスターパッケージング５は、バネ接触子８０を有することができる。穴９０が、電池６の電気端子に対応して、透明プラスチックライニング６０内に位置している。
【００２４】
図９は、ＡＡ又はＡＡＡタイプの１.５ボルト電池用の電気接触システムを示している。電気接点は、バネ釘３８によって得られるが、これは、透明ライニング６０上に位置する穴を通して、電池６の電気端子を押し付ける。
ブリスターパッケージング５は、パッケージング５の背面に、カード４０の切り込みと係合するノッチ４２によっても、抑制されている。バネ釘３８のジャケットは、充電装置１７の電気部品２０を収容する印刷回路３０に、電気ワイヤ４０Ａによって接続されている。
図１０は、ブリスターパッケージング５と充電器−展示器具装置１７との間３つの可能な電気接続システムを図示している。
【００２５】
ブリスターパッケージング５（図１０の実施の形態に示される場合において、これは、下方にバネ接触子８０を有する４本のＡＡタイプの1．５ボルト電池６を含むブリスターパッケージング5である。）は、この実施の形態に従うと、例えば、フェライトコアを有する小さなインダクタ４４及び整流ダイオード４５を組み込んでいる。
ブリスターパッケージング５は、充電装置１７への挿入のための好適なガイド翼部４６も備えており、この場合はガイドが装着される好適なスリット１８がある。
更に、コイル４８が捲かれた磁極伸張部を有するC形状の磁気回路４７が、充電装置１７内に収容される。
ブリスターパッケージング５がスリット又は収容構造１８内に挿入される時、インダクタ４４が、磁気回路４７の磁極伸張部間に挿入され、インダクタ４４とコイル４８との間に誘導磁気結合を形成する。
【００２６】
この様にして、交流発生器４９によって供給される電気エネルギーは、インダクタ４４によって、ブリスターパッケージング５の回路に転送され、ダイオード４５によって安定的に整流された上記エネルギーは電池６を充電する。
図１０は、４本のＡＡタイプの電池６を含むブリスターパッケージング5を図示しているが、別の電池モデルに対するブリスターパッケージングを完全に類似して示すこともできる。
この場合、適当な充電電流が、インダクタ４４のコイルの数を、電池の各異なるタイプごとに異なって、変化することによって決定される。
この様にして、充電装置１７は、電気要素４７、４８、４９を有して、同じ、汎用的なものにとどまり、記述した他の電気接触システムとともに使用して、全てのブリスターパッケージングモデル５に対して使用することができ、ブリスターパッケージング５自体が、充電表示装置１７から必要なエネルギーを取るような大きさにされているので、ある時点でどのタイプの電池６が使用されているのかを決めるための何らの方策を要求しない。
【００２７】
図１１Ａ、１１B及び１２は、本発明の目的である、電池再充電装置の別の可能な解法を示している。ブリスターパッケージング５は、集合パネル５１に挿入されるが、このパネルは、電池6の充電装置１７及び使用者によって適当に選択された後に、供給されるべきブリスターパッケージング５の自動的除去のための一連の機構を含む。
ユニット全体は、外側セイフティーケース１００内に収容されている。このケースは、コントローラパネル５１、支払い装置１５、及び電気パネル５０を含み、このパネルは、電池６が充電されると、各ブラスターパッケージング５の各々の選択及び供給を制御する。
支払い装置１５は、コインの挿入用スリット１０、挿入されたコインを計数するための表示装置１２、及び所望のブリスターパッケージング５の選択のための３つのボタン１１を含む。この点に関して、電池６のタイプとして、ＡＡ又はＡＡＡ又は９ボルトタイプの電池が好ましくは利用できる。
【００２８】
制御パネル５１は、実際、図１１Ａに、それぞれ、２０、１３、１４で示された3つのブリスターパッケージング５を含むことができるように構成されている。各パッケージングは、ＡＡ、ＡＡＡ及び／又は9ボルトタイプの充電可能な電池6を別々に含むことができる。
ブリスターパッケージング５は、コントローラパネル５１の適当な充電可能なスリット１８内に導入され、棚１５によって、水平位置に保持される。
各スリット５４は、電池６の充電装置１７が、自動的に挿入されたパッケージング５のタイプを認識するので、充電可能な電池のタイプ（ＡＡ、ＡＡＡ、９ボルト）の如何なるものも含むブリスターパッケージング５を含むことができる。この様にして、販売員は、充電装置の充填操作中に、何ら特定の注意を払う必要がないので、有利である。
【００２９】
電池６の所望のタイプを含むブリスターパッケージング５を取り出すために、支払い装置１５のスリット１０に、コインが挿入される必要がある。この装置は、ブリスターパッケージング５のプッシュボタン１１の選択を可能にする。パッケージングは、集合パネル５１の各列２０、１３又は１４内に位置されている。
使用者は、ボタン１１の一つを選択することによって、列２０、１３又は１４のブリスターパッケージング５を、選択する時、ロジックが活動され、予め選択されたものの中から最も高く充電された電池６を含むパッケージング５を選択し、これと関係する放出装置を活動し、パッケージング自体をより低い内面（図１１B内の６１及び６２で示された位置）に落として、窓６９を開けることによって、パッケージングを底内面から取り出すことかできる。
【００３０】
図１２は、パッケージング５の熱収縮性プラスチックライニング６０内に含まれる電池６を充電するための取出及び接触装置を詳細に示す。
特に、図１２において、放出装置のピン９１が、バネ９２によって維持される静止位置で示されている。
コイル９３に対して好適な極性の電流が加えられる時、ピン９１の引っ張り力及びバネ９２の圧縮がトリガーされる。これは、ブリスターパッケージング５の右方向への追放及び、パネル５１の下に位置する収集面上への結果としての落下を生じる。
電流の流れを遮ることによって、バネ９２は、ピン９１を静止位置に戻し、新たなブリスターパッケージング５が挿入されることを可能にする。
【００３１】
バネ９５と関連するステンレススチール球９４は、内部に含まれる電池６の充電のためにブリスターパッケージング５の端子８０と電気的に接触する。パッケージング５が充電位置にある時、この方法において、充電装置１７の回路との電気的接続は、バネ９６の手段によって有効にされる。
集合パネル５１の充填は、フロント窓から行なわれる。窓が開放されると、充電スリット１８に近接可能となり、種々の充電位置内にブリスターパッケージング５を導入することを可能にする。
図１３Ａ、図１３Ｂ、図１４Ａ、図１４Ｂ、図１５及び図１６は、本発明の目的である電池再充電装置の更なる変形を図示している。
この技術的解法は、図１５に示されている様なブリスターパッケージング構成５を使用する。特に、図１５は、ＡＡタイプの充電可能な電池を含むブリスターパッケージング５を示す。しかしながら、図示されていないＡＡＡ及び9ボルトタイプの充電可能な電池の幾何形状に対して類似の解法が可能である。
【００３２】
この場合、ブリスターパッケージング５は、電池を機械的に保持するが、８つの端子を開放し、各電池６を独立して充電することができる２つの対称的シェル２３、２４によって製造される。
図１３Ａ及び１３Ｂを特に参照すると、本発明に従う電池再充電装置は、外部ケース３５内に含まれる３つの列１６、２６、３７を含み、各々の列は、ブリスターパッケージング５の異なるタイプを含む。
各列１６、２６、３７に対応して、ブリスターパッケージング５は、図１４Ａ、１４Ｂにより良く示されている様に、パッケージングの水平側面上に互いに上部に積層されている。これらの図１４Ａ、１４Ｂは、電池６の充電用の球形接触子及びバネ２９も図示している。
制御ロジック３１によって制御されるブリスターパッケージング５の支払い装置は、上述したものと類似であり、コイン挿入用のスリット３２、視覚表示パネル３３、及び選択プッシュ−ボタン３４が特に使用されている。
【００３３】
支払いが有効になった後、ブリスターパッケージング５の放出命令が発生する。プッシュボタン３４の一つを押すことによって、その結果、モータ２８が、活動する（図１４A及び１４Ｂにおいて、列１６と関連して詳細に図示されている）。
モータ２８が回転すると、ブリスターパッケージング５の厚さに等しい定められた走行でラックプッシャ２７を下方に進め、従って、バネ４３を押して、下方に位置するパッケージング５を解放して、収集面３６上に落とす（図１３B、１４Ａ、及び１４Bに２２で一般的に示される位置）が、それは窓４１に対応して位置している。
同時に、上部に位置するブリスターパッケージング５の全ての積層は、より低い面に向かって一つだけ位置が移動され、従って、各パッケージング５は、下方面の球形接触子２９からの給電を受け取り、充電状態が保たれる。
各列１６、２６、３７は、バネ接触子２９に対応して、充電回路（図示されない）を含み、好適にはバネ２９に電気的に接触して、電池６内部の電荷を維持する。
【００３４】
各列１６、２６、３７の充填は、ケース３５の正面窓から行なわれる。正面窓は、開放した際に、３つの列１６、２６、３７へ接近可能にし、各パッケージング５を種々の充電位置に挿入されることを可能にする。
最後に、上述したのと代替の、ブリスターパッケージング５の放出装置が、図１６に示されている。
特に、モータ２８Ｂによって活動されるベルト２６Bによって、都合よく移動することができるプッシャー２７Ｂが使用され、図１４A及び１４Ｂに従ったバージョンで使用されるロッド又はラック２７の垂直方向の障害を減少するようにされている。
本発明の目的である、電池再充電装置の特徴、同様に利点は、上述の記載から明瞭である。
最終的に、種々の他の変形が、問題となっている電池再充電装置に加えることができることは明瞭であり、全てが、本発明のアイデアに固有の新規な原理に含まれる。本発明の実際の実施の形態において、図示された詳細の形態及び寸法は、要求に従って変更することができ、他の同等の代替物によって置き替えることができることも自明である。
【図面の簡単な説明】
【００３５】
【図１】販売箇所において、ブリスターパッケージされた電池の展示器具としても使用できる本発明に従う集合形態の電池再充電装置の第１の実施の形態の正面図。
【図２】本発明に従う図１の集合形態の再充電装置で使用することができる電池のブリスターパッケージされた電池パックの正面図。
【図３】第１の形態の電池に使用することができる、本発明に従う、電荷回復及び維持装置で使用されるために好適な電池用のブリスターパッケージングの正面図。
【図３Ａ】第１の形態の電池に使用することができる、本発明に従う、電荷回復及び維持装置で使用されるために好適な電池用のブリスターパッケージングの斜視図。
【図４】第２の形態の電池に使用することができる、本発明に従う、電荷回復及び維持装置で使用されるために好適な電池用のブリスターパッケージングの正面図。
【図４Ａ】第２の形態の電池に使用することができる、本発明に従う、電荷回復及び維持装置で使用されるために好適な電池用のブリスターパッケージングの斜視図。
【図５】第３の形態の電池に使用することができる、本発明に従う、電荷回復及び維持装置で使用されるために好適な電池用のブリスターパッケージングの正面図。
【図５Ａ】第３の形態の電池に使用することができる、本発明に従う、電荷回復及び維持装置で使用されるために好適な電池用のブリスターパッケージングの斜視図。
【図６】本発明に従う、電池再充電装置の第２の実施の形態の拡大斜視図。
【図７】メインの形態のブリスターパッケージングと使用される関連電池との組み合わせを示し、本発明の再充電装置にパッケージングを挿入する時に、電池の形態を自動的に選択することを可能にする接触相の変位を示す。
【図８】本発明に従う、再充電回路と図６の再充電装置中の電池パッケージングの接触子との間の電気的接続を可能とする接触システムの第１の実施の形態を詳細に示す。
【図８Ａ】本発明に従う、再充電回路と図６の再充電装置中の電池パッケージングの接触子との間の電気的接続を可能とする接触システムの第１の実施の形態を詳細に示す。
【図８Ｂ】本発明に従う、再充電回路と図６の再充電装置中の電池パッケージングの接触子との間の電気的接続を可能とする接触システムの第１の実施の形態を詳細に示す。
【図９】本発明に従う図８、８Ａ、８Ｂに示されるものとは代替の電気接触システムの他の可能な実施の形態を示す。
【図１０】本発明に従う図８、８Ａ、８Ｂに示されるものとは代替の電気接触システムの他の可能な実施の形態を示す。
【図１１Ａ】本発明に従うパッケージングの自動配布用にも好適な、ブリスターパッケージされた電池再充電装置の第３の形態の正面図。
【図１１Ｂ】図１１に従う充電装置の側面図。
【図１２】本発明に従う、図１１Ａ及び１１Bに従う電池再充電装置に存在する、各電池ブリスターパッケージングの充電及び放出装置（供給）の拡大詳細断面図。
【図１３Ａ】本発明に従う、図１１Ａ及び１１Bに従う電池再充電装置の変形例の正面図。
【図１３Ｂ】図１３に従う電池再充電装置の側面図。
【図１４Ａ】図１３Ａ及び１３Ｂに従う再充電装置内に存在するブリスターパッケージングの充電及び供給機構の拡大詳細正面図。
【図１４Ｂ】図１３Ａ及び１３Ｂに従う再充電装置内に存在するブリスターパッケージングの充電及び供給機構の拡大詳細側面図。
【図１５】図１３Ａ及び１３Ｂに従う電池再充電装置内で使用することができる、再充電可能なブリスターパッケージングの別の実施の形態の拡大斜視図。
【図１６】図１３Ａ及び１３Ｂに従う電池再充電装置内で使用することができる技術的解法の断面図。
【図１】
2007528188.tif 000003
【図２】
2007528188.tif 000004
【図３】
2007528188.tif 000005
【図３Ａ】
2007528188.tif 000006
【図４】
2007528188.tif 000007
【図４Ａ】
2007528188.tif 000008
【図５】
2007528188.tif 000009
【図５Ａ】
2007528188.tif 000010
【図６】
2007528188.tif 000011
【図７】
2007528188.tif 000012
【図８】
2007528188.tif 000013
【図８Ａ】
2007528188.tif 000014
【図８Ｂ】
2007528188.tif 000015
【図９】
2007528188.tif 000016
【図１０】
2007528188.tif 000017
【図１１Ａ】
2007528188.tif 000018
【図１１Ｂ】
2007528188.tif 000019
【図１２】
2007528188.tif 000020
【図１３Ａ】
2007528188.tif 000021
【図１３Ｂ】
2007528188.tif 000022
【図１４Ａ】
2007528188.tif 000023
【図１４Ｂ】
2007528188.tif 000024
【図１５】
2007528188.tif 000025
【図１６】
2007528188.tif 000026
【国際調査報告】
2007528188.tif 000027
2007528188.tif 000028